【事件の表示】
　特許第３４１８１１０号「パチンコ遊技機の不正入賞防止装置」の請求項１、２に係る特許に対する特許異議の申立てについて、次のとおり決定する。
【結　論】
　訂正を認める。
　特許第３４１８１１０号の請求項１に係る特許を維持する。
【理　由】
１・手続の経緯
　特許第３４１８１１０号の請求項１に係る発明（本件発明）についての特許出願は、平成９年１２月８日に出願されたものであって、平成１５年４月１１日にその特許権の設定登録がなされ、その後、町田彬より特許異議の申立てがなされ、取消しの理由が通知され、再度の取消しの理由が通知され、その指定期間内である平成１７年２月１０日に訂正請求がなされたものである。
２・訂正の適否についての判断
（２−１）訂正の内容
ア・訂正事項ａ
　願書に添付した明細書（以下、特許明細書という。平成１５年２月１４日付け手続補正によって補正されたもの）の特許請求の範囲を、
「【請求項１】偶然性をもって大当たりが発生することで特別遊技信号が発信され大入賞口の開閉扉が電動開閉装置の作動により開成状態になされるようにしたパチンコ遊技機において、特別遊技信号が発信されてない状態で大入賞口に入賞した遊技球を検出する入賞球計数スイッチが作動したときその入賞遊技球数を表示すると同時に異常表示手段を作動させ、かつ景品球払出装置を作動させて該入賞球計数スイッチにて計数された遊技球の数と同数の遊技球が遊技者に還元されるようにしたことを特徴としたパチンコ遊技機の不正入賞防止装置」と訂正する。
イ・訂正事項ｂ
　特許明細書の段落【０００４】の記載を、
「【課題を解決するための手段】
　本発明は上記課題を解決しようとするもので、偶然性をもって大当たりが発生することで特別遊技信号が発信され大入賞口の開閉扉が電動開閉装置の作動により開成状態になされるようにしたパチンコ遊技機において、特別遊技信号が発信されてない状態で大入賞口に入賞した遊技球を検出する入賞球計数スイッチが作動したときその入賞遊技球数を表示すると同時に異常表示手段を作動させ、かつ景品球払出装置を作動させて該入賞球計数スイッチにて計数された遊技球の数と同数の遊技球が遊技者に還元されるようにしたことを特徴とする」と訂正する。
ウ・訂正事項ｃ
　特許明細書の段落【０００５】の記載を削除する。
エ・訂正事項ｄ
　特許明細書の段落【００１５】の記載を、
「【発明の効果】
　このように本発明のパチンコ遊技機は、特別遊技信号が発信されてない状態で大入賞口に入賞した遊技球を検出する入賞球計数スイッチが作動したときその入賞遊技球数を表示すると同時に異常表示手段を作動させ、かつその不正入賞遊技球を遊技者に還元するようにしたので、不正行為を確実に検出でき、不正な遊技者を利することがないので、不正行為を未然に防止できる効果がある」と訂正する。
（２−２）訂正の目的、新規事項の有無及び拡張・変更の存否
　上記訂正事項ａは、訂正前の請求項１に記載されていた発明の構成要件及び訂正前の請求項２に記載されていた発明の構成要件を請求項１としたものであるから、特許請求の範囲の減縮を目的とした明細書の訂正に該当し、
上記訂正事項ｂ〜ｄは、上記訂正事項ａと整合を図るものであるから、明りょうでない記載の釈明を目的とした明細書の訂正に該当し、
いずれも、新規事項の追加に該当せず、実質上特許請求の範囲を拡張し、変更するものではない。
（２−３）むすび
　したがって、上記訂正は、特許法第１２０条の４第２項及び同条第３項において準用する特許法第１２６条第２項から第４項までの規定に適合するので、当該訂正を認める。
３・特許異議の申立ての理由及び再度の取消理由についての判断
（３−１）特許異議の申立ての理由の概要
　申立人は、
甲第１号証（特開昭６３−２７５３６１号公報）、甲第２号証（特開平８−２４４１７号公報）、甲第３号証（特開平８−２６６７３６号公報）、甲第４号証（特開平６−３９１００号公報）、甲第５号証（実願昭５８−１２２６１４号（実開昭６０−３０２７６号）のマイクロフィルム）、甲第６号証（実願昭５８−１８２６００号（実開昭６０−８８９７４号）のマイクロフィルム）、甲第７号証（実公昭４６−３０８９２号公報）、甲第８号証（実公昭４７−３３３９９号公報）及び甲第９号証（実公昭４８−２９８７５号公報）
を引用し、
本件発明は、本件特許出願前に頒布された刊行物である甲号各証に記載された発明に基いて当業者が容易に発明をすることことができたものであるから、特許法第２９条第２項の規定により特許を受けることができないものであり、本件発明についての特許は、取り消されるべきものであると主張している。
（３−２）再度の取消理由の概要
　本件特許出願は、特許明細書の記載が不明瞭であって特許法第３６条第４項及び第６項に規定する要件を満たしていないから、本件発明についての特許は、取り消されるべきものである。
（３−３）本件発明
　上記（２−３）の所に記したように、上記訂正が認められるので、本件請求項１に係る発明（本件発明）は、上記訂正請求に係る訂正明細書の特許請求の範囲の請求項１に記載された事項により特定されるとおりのものである。（上記２・（２−１）ア・訂正事項ａ参照）
（３−４）上記（３−２）における再度の取消理由について
　上記（２−１）の訂正事項ａ〜ｄによって、この理由は解消したものと認められる。
（３−５）上記（３−１）における特許異議の申立ての理由の概要について
（３−５−１）甲第１号証に記載された発明
　甲第１号証には、
その第２の実施例の記載、
特に、
（ア）「パチンコ玉の始動入賞・・・に基づいて、１回または２回開閉状態となる可変入賞球装置１０５・・・内に進入したパチンコ玉がＶ入賞口１１５・・・に入賞し」（第９頁左下欄第１〜８行）、「Ｖ入賞口１１５へ入賞すると・・・Ｖ入賞球検出スイッチ１１７で検出され、その出力パルスは・・・保持回路１２７へ与えられ・・・保持回路１２７のハイレベル信号に基づいて、ソレノイド７６は・・・オンオフされ、可動翼片１０９ａ，１０９ｂが開閉される」（第１０頁右下欄第１７行〜第１１頁左上欄第１０行）、「Ｖ入賞口１１５へパチンコ玉が入賞することにより、可動翼片１０９ａ，１０９ｂが連続的に開閉を開始し」（第１１頁左下欄第１１〜１３行）、第９図（第１９頁）及び第１０図（第１９頁）の記載から、
パチンコ玉の始動入賞に基づいて１回または２回開閉状態となる可変入賞球装置１０５内に進入したパチンコ玉がＶ入賞口１１５に入賞しＶ入賞球検出スイッチ１１７で検出されると保持回路１２７のハイレベル信号に基づいて可変入賞球装置１０５の可動翼片１０９ａ，１０９ｂがソレノイド７６の作動により連続的に開閉される構成が開示されているものと認められること、
（イ）「８回目のＶ入賞状態では、必ず１８進カウンタ５７６がカウントアップするかまたは入賞玉計数回路５８０がカウントアップし、そのいずれかの出力に基づいて解除パルス発生回路５６０が解除パルスを導出する。そしてその出力は保持回路１２７の保持状態を解除する」（第１２頁左上欄第１２〜１７行）、「ソレノイドドライバ５５２からの出力が第７図のフリップフロップ４００に入力され・・・解除パルス発生回路５６０から保持回路５４８および５６２へ出力される解除信号が・・・第７図に示す遅延回路４０４に入力される」（第１２頁左下欄第６〜１１行）、「Ｖ入賞検出スイッチ１１７および入賞球数検出スイッチ８９からの出力が・・・第７図に示すアンドゲート４０２の一方の入力端子に与えられる」（第１２頁左下欄第１２〜１６行）、「第７図の遅延回路４０４にハイレベル信号が与えられている場合、すなわち、可変入賞球装置が閉成状態に切換わっているときに、第７図のアンド回路４０２の一方の入力端子にハイレベル信号が与えられた場合、すなわち、パチンコ玉が可変入賞球装置内に進入した場合に・・・表示ランプ５・・・が制御される」（第１２頁左下欄第１７行〜右下欄第７行）、第９図（第１９頁）、第１０図（第１９頁）及び第７図（第１８頁）の記載から、
保持回路１２７の保持状態が解除されソレノイドドライバ５５２からの出力が第７図のフリップフロップ４００に入力され解除パルス発生回路５６０から保持回路５４８及び５６２へ出力される状態で可変入賞球装置１０５に入賞したパチンコ玉は入賞球数検出スイッチ８９で検出されその出力が第７図に示すアンドゲート４０２の一方の入力端子に与えられるときに表示ランプ５を作動させる構成が開示されているものと認められること、
（ウ）「遊技者が針金Ａを使用して閉成状態に切換わっている可動翼片１０９ｂを開成状態にするなどの不正行為」（第１２頁左下欄第１〜３行）及び「表示ランプ５およびスピーカ２９さらには打球モータＭ１、景品球打出モータＭ２が制御される」（第１２頁右下欄第５〜７行）の記載から、
不正入賞防止装置が開示されているものと認められること、
からみて、
「パチンコ玉の始動入賞に基づいて１回または２回開閉状態となる可変入賞球装置１０５内に進入したパチンコ玉がＶ入賞口１１５に入賞しＶ入賞球検出スイッチ１１７で検出されると保持回路１２７のハイレベル信号に基づいて可変入賞球装置１０５の可動翼片１０９ａ，１０９ｂがソレノイド７６の作動により連続的に開閉されるようにしたパチンコ遊技機において、保持回路１２７の保持状態が解除されソレノイドドライバ５５２からの出力が第７図のフリップフロップ４００に入力され解除パルス発生回路５６０から保持回路５４８及び５６２へ出力される解除信号が第７図に示す遅延回路４０４に入力される状態で可変入賞球装置１０５に入賞したパチンコ玉は入賞球数検出スイッチ８９で検出されその出力が第７図に示すアンドゲート４０２の一方の入力端子に与えられるときに表示ランプ５を作動させるようにしたパチンコ遊技機の不正入賞防止装置」
を構成とする発明が記載されているものと認められる。
（３−５−２）対比
　甲第１号証の第２頁右下欄第１〜３行の「パチンコ遊技機内部にピアノ線や針金などを侵入させて可変入賞球装置の開閉板などを引掛けて開成状態でロックするなどの不正行為」という記載からみて、甲第１号証に記載された発明は、本件発明と同様の不正行為（訂正明細書の段落【０００１】の「パチンコ遊技機において、針金、ピアノ線等を使って該大入賞口を開き打球を入賞させるような不正行為」参照）に対処するものであると認められるので、先ず、本件発明と甲第１号証に記載された発明とを対比する。
　本件発明（前者）と甲第１号証に記載された発明（後者）とを対比すると、
後者の
「パチンコ玉の始動入賞に基づいて１回または２回開閉状態となる可変入賞球装置１０５内に進入したパチンコ玉がＶ入賞口１１５に入賞しＶ入賞球検出スイッチ１１７で検出されると」、「保持回路１２７のハイレベル信号に基づいて」、「可変入賞球装置１０５」、「可動翼片１０９ａ，１０９ｂ」、「ソレノイド７６」、「保持回路１２７の保持状態が解除されソレノイドドライバ５５２からの出力が第７図のフリップフロップ４００に入力され解除パルス発生回路５６０から保持回路５４８及び５６２へ出力される解除信号が第７図に示す遅延回路４０４に入力される」、「パチンコ玉は入賞球数検出スイッチ８９で検出されその出力が第７図に示すアンドゲート４０２の一方の入力端子に与えられる」及び「表示ランプ５」
がそれぞれの機能に照らし、それぞれ
前者の
「偶然性をもって大当たりが発生することで」、「特別遊技信号が発信され」、「大入賞口」、「開閉扉」、「電動開閉装置」、「特別遊技信号が発信されてない」、「遊技球を検出する入賞球計数スイッチが作動した」及び「異常表示手段」
に相当するものと認められるから、
両者は、
「偶然性をもって大当たりが発生することで特別遊技信号が発信され大入賞口の開閉扉が電動開閉装置により作動されるようにしたパチンコ遊技機において、特別遊技信号が発信されてない状態で大入賞口に入賞した遊技球を検出する入賞球計数スイッチが作動したときに異常表示手段を作動させるようにしたパチンコ遊技機の不正入賞防止装置」である、
点において一致し、
ア・大当たりが発生すると開閉扉が、
前者は、開成状態になされる、
のに対し、
後者は、連続的に開閉される、
イ・特別遊技信号が発信されてない状態のときに、大入賞口に遊技球が入賞したことを入賞球計数スイッチが検出したとき、
（イ−１）前者が、その入賞遊技球数を表示する、
のに対し、
後者が、その入賞遊技球数を表示するのかどうか明らかではない、
（イ−２）前者が、景品球払出装置を作動させて該入賞球計数スイッチにて計数された遊技球の数と同数の遊技球を遊技者に還元する、
のに対し、
後者が、かかる構成を備えていない、
点において相違しているものと認められる。
（３−５−３）判断
　次に、これらの相違点について検討する。
（３−５−３−１）相違点ア・について
　相違点ア・は、要するに、前者が、甲第１号証に記載された第１の実施例のような所謂第１種のパチンコ遊技機であるのに対し、後者が、甲第１号証に記載された第２の実施例のような所謂第２種のパチンコ遊技機であることに基づく相違であって、パチンコ遊技機が所謂第１種のものであれば前者のように、また、パチンコ遊技機が所謂第２種のものであれば後者のようになることは自明であるから、相違点ア・は、実質的な相違ではないというべきである。
（３−５−３−２）相違点（イ−１）について
　甲第１号証の第１１頁右上欄第２０行〜左下欄第５行の「Ｖ入賞口１１５へ入賞した全パチンコ玉数は・・・入賞球数検出スイッチ８９で検出され、入賞玉計数回路５８０で計数される。その計数値は・・・発光ダイオード５２４が入賞個数だけ点灯、点滅または消灯され、入賞個数が表示される」という記載からみて、後者は入賞遊技球数を表示するものと認められるが、特別遊技信号が発信されてない状態のときにも表示するのかについては甲第１号証の記載からは明らかでなく、仮に、特別遊技信号が発信されてない状態のときにも表示するとしても、甲第１号証の第１１頁左下欄第６〜１８行の「入賞玉計数回路５８０が予め定め数、たとえば１０個を計数したときは、カウントアップ出力は解除パルス発生回路５６０へ与えられる・・・したがって、この実施例では・・・可変入賞球装置１０５へ１０個のパチンコ玉が入賞する・・・ことにより、可動翼片１０９ａ，１０９ｂが閉成状態になる」という記載からみて、例えば１０個以上は表示し得ないものであり、また、甲第１号証の第１１頁右下欄第１３〜１６行の「可変入賞球装置１０５内へ入ったパチンコ玉のいずれかがＶ入賞口１１５へ入ることにより・・・入賞玉計数回路５８０がリセットされ」という記載からみて、特賞状態禁止回路５７３が能動化していない状態では、可変入賞球装置１０５へパチンコ玉が入ってもそのいずれかがＶ入賞口１１５へ入ってしまうと、入賞玉計数回路５８０は、リセットされてしまうから、正確な数は表示し得ないものであり、そうすると、甲第１号証には、相違点（イ−１）の前者の構成は、開示されていないという他はない。
　そこで、甲第２号証〜甲第９号証に、相違点（イ−１）の前者の構成が開示されているかどうかについてみるに、
甲第２号証の第６頁第９欄第２１〜２３行の「大当り以外で特別可変入賞口３１ａへの入賞がある場合での不正を入賞玉検出器３５が検出してエラーチェックする」及び第１３頁第２３欄第１３〜１９行の「特別遊技状態において異常が発生したときには・・・個数表示ＬＥＤ３４は、異常に応じた文字「１」「４」「−」のいずれかを表示し」という記載からみて、甲第２号証記載のものは、不正時に、個数表示ＬＥＤ３４に、「１」「４」「−」のいずれかを表示するものと認められるから、甲第２号証には、相違点（イ−１）の前者の構成は、開示されていないものと認められ、
甲第３号証の第５頁第７欄第２３〜２６行の「入賞玉検出器２１あるいは特定玉検出器２０が特別可変入賞球装置１５への入賞玉を検出したにも関わらず特別遊技中でないことを判別すると、これを不正として判定する」及び第５頁第７欄第３２〜３６行の「回数表示器２３に「Ｅ」を表示すると共に個数表示器２４に「１」を表示する・・・なお、前記の表示で「Ｅ」とはエラーを表す略で「１」とはエラーの種類を示す（ここでは、不正入賞を意味する）」という記載からみて、甲第３号証記載のものは、不正時に、個数表示器２４に、「１」を表示するものと認められるから、甲第３号証には、相違点（イ−１）の前者の構成は、開示されていないものと認められ、
甲第４号証の第７頁第１１欄第１６〜２０行の「大入賞口３１が・・・開放中にないときに継続入賞スイッチ８５あるいは一般入賞スイッチ８３ａ，８３ｂがオンした場合、そのオン回数を基に異常入賞数をカウントする」及び第８頁第１４欄第１０〜１５行の「大入賞口異常判定では、大入賞口３１の閉信号の入力時から・・・所定時間（例えば２秒）経過すると、異常入賞数・・・を読み込み、異常入賞数が所定数（例えば３個）になった場合、異常を判定する」という記載からみて、甲第４号証記載のものは、不正入賞遊技球数を例えば３個までカウントするものと認められるものの、３個までカウントする理由が、「開閉扉３２を閉じるときは、その閉信号の入力時から所定時間経過した後に、つまり閉動作中に入賞した球の検出を考慮したタイムラグ後に、入賞があれば異常判定を行う」（第９頁第１６欄第２１〜２５行）及び「複数の入賞によって異常判定を行えば、開閉扉３２が閉じる際に球が挟まれ、これが所定時間の経過後に検出された場合であっても、誤判定することはない」（第９頁第１６欄第２９〜３２行）であると認められること及び甲第４号証にそもそもカウント数を表示する構成が記載されていないことを勘案すると、甲第４号証には、カウント数を表示する構成は、開示されていないものと認められ、
甲第５号証〜甲第９号証には、そもそも相違点（イ−１）の前者の構成を示唆する記載すらも認められない。
　そうすると、相違点（イ−１）の前者の構成は、甲号各証に開示されていないというべきである。
（３−５−３−３）相違点（イ−２）について
　甲第１号証の第９頁左上欄第１９行〜右上欄第１行の「遊技状態制御回路１３３からの制御信号により、景品球払出モータＭ２を停止させることにより、景品球の払出しを阻止することができ」という記載からみて、後者は、特別遊技信号が発信されてない状態で大入賞口に遊技球が入賞したとき、景品球払出装置を停止させてしまうものと認められるから、甲第１号証には、相違点（イ−２）の前者の構成は、開示されていないものと認められ、
甲第２号証には、特に、景品球払出装置については何も記載されていないものと認められ、
甲第３号証の第５頁第７欄第３１，３２行の「不正発生時の遊技不能動化として行い（Ｓ５：遊技不能動制御手段）」及び第５頁第７欄第３９〜４８行の「Ｓ５で遊技動作を停止する場合・・・遊技動作の停止とは・・・賞球払い出しの停止・・・等であり」という記載からみて、甲第３号証記載のものは、不正時に、景品球払出装置を停止させてしまうものと認められるから、甲第３号証には、相違点（イ−２）の前者の構成は、開示されていないものと認められ、
甲第４号証の第９頁第１６欄第４０〜４２行の「大入賞口３１の開閉扉３２が開放したままとなっても、入賞によって賞球が多数払い出されることが的確に回避され」及びには、第９頁第１６欄第４７〜５０行の「異常発生と同時に打球の発射が禁止され、遊技を中断させるので、入賞を防ぐことができ、賞球を最小限に抑えられると共に、特に不正行為に有効である」という記載からみて、甲第３号証記載のものは、不正時に、打球の発射を停止させてしまうものと認められるから、甲第４号証には、相違点（イ−２）の前者の構成は、開示されていないものと認められ、
甲第５号証及び甲第６号証に記載のものは、入賞器の開閉板の開放時に入賞器に所定数以上の球が入った場合、所定数以上の球を入賞扱いとせずに、入賞器から受皿に戻すというものであると認められるところ、これは、針金、ピアノ線等を使って大入賞口を開く不正に対処するものであるとは認められず、かつ、戻すときに景品球払出装置が関与しているとも認められないから、甲第５号証及び甲第６号証には、相違点（イ−２）の前者の構成は、開示されていないものと認められ、
甲第７号証、甲第８号証及び甲第９号証に記載のものは、材質あるいはサイズに関し不正がある球を投入口付近から受皿に戻すというものであると認められるところ、これは、針金、ピアノ線等を使って大入賞口を開く不正に対処するものであるとは認められず、かつ、戻すときに景品球払出装置が関与しているとも認められないから、甲第７号証、甲第８号証及び甲第９号証には、相違点（イ−２）の前者の構成は、開示されていないものと認められる。
　そうすると、相違点（イ−２）の前者の構成は、甲号各証に開示されていないというべきである。
（３−５−４）むすび
　上記したように、甲号各証には、前者の構成要件である相違点（イ−１）及び（イ−２）の前者の構成は、開示されていないものと認めら、かつ、同構成要件によって、前者は、訂正明細書の段落【００１５】に記載された効果を奏するものと認められる（上記２・（２−１）エ・訂正事項ｄ参照）から、前者が特許法第２９条第２項の規定により特許を受けることができないという申立人の主張は採用できない。
（３−６）まとめ
　以上のとおりであるから、特許異議申立ての理由及び証拠並びに再度の取消理由によっては本件発明についての特許を取り消すことはできない。
　また、他に本件発明についての特許を取り消すべき理由を発見しない。
　よって、結論のとおり決定する。
【異議決定日】
平成１７年３月１５日（２００５．３．１５）
【訂正の要旨】
審決（決定）の【理由】欄参照。
（５４）【発明の名称】
パチンコ遊技機の不正入賞防止装置
（５７）【特許請求の範囲】
　【請求項１】　偶然性をもって大当たりが発生することで特別遊技信号が発信され大入賞口の開閉扉が電動開閉装置の作動により開成状態になされるようにしたパチンコ遊技機において、特別遊技信号が発信されてない状態で大入賞口に入賞した遊技球を検出する入賞球計数スイッチが作動したときその入賞遊技球数を表示すると同時に異常表示手段を作動させ
、かつ景品球払出装置を作動させて該入賞球計数スイッチにて計数された遊技球の数と同数の遊技球が遊技者に還元されるようにした
【発明の詳細な説明】
　【０００１】
　【発明の属する技術分野】
　本発明は、大当たりが発生し特別遊技状態となると大入賞口が継続的に開くように構成されたパチンコ遊技機において、針金，ピアノ線等を使って該大入賞口を開き打球を入賞させるような不正行為を防止する装置に関するものである。
　【０００２】
　【従来の技術】
　俗に「フィーバー機」と称される第１種パチンコ遊技機は、周知のように、遊技盤に設けられた始動入賞口に打球が入ることによりカラー液晶ディスプレイ，ＣＲＴ等の図柄変動表示器が図柄を一定時間変動表示した後に停止し、その停止図柄が所定の確率で偶然性をもって「７７７」等の特定図柄となった場合に特別遊技状態（大当たり）となり大入賞口の開閉扉が電動開閉装置の作動により開成状態となるようにしたもので、その開成状態の大入賞口に打球が所定個数（通常は１０個）入球するか、または開成状態で所定制限時間（通常は３０秒）が経過すると、いわゆる第１ラウンドが終わって該大入賞口は一旦は閉じるが、その第１ラウンド中に大入賞口内に設けられている継続入賞口（Ｖゾーンと称される）に打球が入球していた場合には第２ラウンドが始まりすぐにまた該大入賞口が開かれる。そして開成状態となった大入賞口にまた打球が所定個数（通常は１０個）入球するか、または開成状態で所定制限時間（通常は３０秒）が経過すると、第２ラウンドが終わって該大入賞口はまた閉じるが、その第２ラウンド中に大入賞口内に設けられている継続入賞口（Ｖゾーンと称される）に打球が入球していた場合には第３ラウンドが始まりすぐにまた該大入賞口が開かれる。こうして、以降も各ラウンド中に継続入賞口に打球が入賞したことを条件として最終ラウンド（例えば第１６ラウンド）になるまで該大入賞口が継続的に開かれるようにしている。こうして特別遊技状態の期間中に大入賞口の開閉扉が所定ラウンド数を限度として継続的に開かれることにより打球が極めて入り易い状況となり多数の景品球を獲得できて遊技者に多くの利益がもたらされるように構成されたものである。
　【０００３】
　【発明が解決しようとする課題】
　このように大当たりが発生し大入賞口が継続的に開成状態となるように構成されたパチンコ遊技機では、例えば不正の目的でピアノ線，セル等をガラス枠内に侵入させ大入賞口の開閉扉を無理に開け遊技球を入賞させるようなことがあった。このような不正行為は従来では早期に発見できずパチンコ店は多大な損害を被っていた。また不正行為を発見できたとしても遊技球をどの程度不正に入賞させたのかが分からないので、その不正遊技者への対処が困難であった。
　【０００４】
　【課題を解決するための手段】
　本発明は上記課題を解決しようとするもので、偶然性をもって大当たりが発生することで特別遊技信号が発信され大入賞口の開閉扉が電動開閉装置の作動により開成状態になされるようにしたパチンコ遊技機において、特別遊技信号が発信されてない状態で大入賞口に入賞した遊技球を検出する入賞球計数スイッチが作動したときその入賞遊技球数を表示すると同時に異常表示手段を作動させ
、かつ景品球払出装置を作動させて該入賞球計数スイッチにて計数された遊技球の数と同数の遊技球が遊技者に還元されるようにした
　【０００６】
　【発明の実施の形態】
　次に図面に従い本発明の実施の形態を説明する。図１にこのパチンコ遊技機の正面を示し、図中、１は景品球受用の上皿、２は下皿、３は打球発射ハンドル、４はスピーカ、５は遊技盤、６は前面枠、７は該遊技盤５上に設けられた液晶ディスプレイからなる図柄変動表示器、８は通過ゲート、９は始動入賞口、１０，１１は普通入賞口である。
　【０００７】
　１２は図２〜図４に示したように取付基板１３の中央に開設された長方形状の大入賞口で、該大入賞口１２には前方に開閉可能に開閉扉１４が軸受１５，１５により枢支されている。１６は該取付基板１３の裏側に設けられた電動開閉装置（ソレノイド）で、開閉扉１４の裏側に一体に設けられた耳片１７にピン１８を突設し、該電動開閉装置１６の作動軸に固設された連係片１９に突部２０，２１を形成し、該ピン１８を突部２０，２１間に位置させることで該電動開閉装置１６の作動で開閉扉１４が開閉作動するようにしている。なお２２は該大入賞口１２の中央部に設けられた継続入賞口、２３は該継続入賞口１２に入賞した遊技球を検出する継続入賞口スイッチ、２４は該大入賞口１２に入賞した遊技球を検出する入賞球計数スイッチである。
　【０００８】
　また該パチンコ遊技機の裏側には前記図柄変動表示器７および電動開閉装置１６等を作動させる遊技制御回路基板２５が設けられ、該遊技制御回路基板２５は図５にブロック図を示したように、始動入賞口９内に設けられた始動入賞口スイッチ２６、および前記継続入賞口スイッチ２３，入賞球計数スイッチ２４からそれぞれ遊技球入賞の電気信号を受ける。なお２７は図１にも示したように該パチンコ遊技機の上方の幕板に設けられた２つの７セグメント表示器からなる数字表示器、２８は警報ランプからなる警報器である。
　【０００９】
　遊技制御回路基板２５は、始動入賞口スイッチ２６からの電気信号により作動開始し所定の確率で偶然性をもって特別遊技状態をもたらす大当たり発生手段と、遊技制御手段と、表示器駆動手段と、効果音発生手段と、駆動制御手段等からなる。そして該遊技制御手段からの指令信号により前記図柄変動表示器７，スピーカ４，電動開閉装置１６，数字表示器２７，警報器２８、および景品球払出装置（図示せず）が夫々作動し得るように接続される。
　【００１０】
　図６に本発明に係るパチンコ遊技機の作動を示すフローチャートを示し、以下このフローチャートに従い説明する。このパチンコ遊技機では、始動入賞口スイッチ２６からの入賞信号を捕らえ図柄変動表示器７を変動表示させその停止図柄が「７７７」等の特定図柄となり大当たりが発生したかどうかを判別するステップｄの通常遊技状態のループ中に、前記入賞球計数スイッチ２４からの入賞信号を捕らえ大入賞口１２への遊技球の入球の有無を検知するステップａを設けている。
　【００１１】
　このステップｄにて図柄変動表示器７の停止図柄が「７７７」等の特定図柄となり大当たりが発生したこととなると、特別遊技信号が発信され（ステップｅ）て特別遊技状態となり大入賞口１２が開成状態となる。（ステップｆ）。この開成状態では、タイマにより開成状態になってからの経過時間が計測されるとともに、入賞球計数スイッチ２４により該大入賞口１２に入球した打球数がカウントされ、所定の制限時間（３０秒）が経過するかあるいは該大入賞口１２に打球が所定個数（１０個）入球すると該大入賞口１２は一旦は閉じる。（ステップｇ，ｈ）。しかし大入賞口１２に入賞した打球が継続入賞口２２に入賞していた場合で、かつ継続回数、即ち大入賞口１２の開閉回数が所定回数（１６回）に達していない場合は、ステップｊからステップｆに戻り大入賞口１２を再び開成状態とする。このためこの継続条件が満たされる限り大入賞口１２は最大１６回（１６ラウンド）を限度として繰り返し開成され、この間に遊技者は多数の景品球を獲得できる。なお各ラウンドにおける打球の実際の入球個数およびラウンド数は逐次図柄変動表示器７に表示され、遊技客はその表示を参考にラウンドを進行させることができる。
　【００１２】
　一方、上記ステップａ〜ステップｄの通常遊技状態であるときに、入賞球計数スイッチ２４が作動し遊技球の通過が捕捉された場合は、このループから抜けてステップｋに移行し、該入賞球計数スイッチ２４にて計数された遊技球の数を前記数字表示器２７に表示すると同時に警報器２８を作動させその異常状態表示させる。（ステップｌ，ｍ）。
　【００１３】
　また同時に、このパチンコ遊技機の景品球払出装置を還元モードに切り替え、入賞球計数スイッチ２４にて計数された遊技球の数と同数の遊技球を遊技者に還元払い出しする。（ステップｎ）。なおこの異常検出状態はパチンコ遊技機の裏面に設けられたリセットスイッチを操作するまで続く。（ステップｏ）。
　【００１４】
　このように特別遊技状態でないときに大入賞口１２に遊技球が入賞したことを検知することで警報器２８が作動し不正行為が行われていることをすぐに検知できるとともに、その不正に入賞された遊技球の数が数字表示器２７に表示され、かつその不正入賞遊技球をこのパチンコ遊技機に備えられている景品球払出装置を作動させることにより還元するようにしたので、不正な遊技者に対しては遊技球を還元させるだけであって余計な景品球を払い出すことが一切ないので不正遊技者を利することはなく、このため不正行為を未然に防ぐ効果がある。
　【００１５】
　【発明の効果】
　このように本発明のパチンコ遊技機は、特別遊技信号が発信されてない状態で大入賞口に入賞した遊技球を検出する入賞球計数スイッチが作動したときその入賞遊技球数を表示すると同時に異常表示手段を作動させ、
かつその不正入賞遊技球を遊技者に還元する
【図面の簡単な説明】
　【図１】
　本発明に係るパチンコ遊技機の正面図。
　【図２】
　本発明に係るパチンコ遊技機の大入賞口の斜視図。
　【図３】
　図２に示した大入賞口のＡ−Ａ線断面図。
　【図４】
　図２に示した大入賞口のＢ−Ｂ線断面図。
　【図５】
　本発明に係るパチンコ遊技機のブロック図。
　【図６】
　本発明に係るパチンコ遊技機のフローチャート。
　【符号の説明】
　５　　　　　　遊技盤
　７　　　　　　図柄変動表示器
　９　　　　　　始動入賞口
　１２　　　　　大入賞口
　１４　　　　　開閉扉
　１６　　　　　電動開閉装置
　２２　　　　　継続入賞口
　２３　　　　　継続入賞口スイッチ
　２４　　　　　入賞球計数スイッチ
　２５　　　　　遊技制御回路基板
　２６　　　　　始動入賞口スイッチ
　２７　　　　　数字表示器
　２８　　　　　警報器